(57)【要約】【課題】読み取った複数の原稿に対応する原稿データを自動的にグループ化し、電子ファイルとして記録する原稿読取装置において、原稿データをグループ化するための準備作業を簡略化できる原稿読取装置を提供すること。【解決手段】本発明に係わる画像読み取り装置は、原稿（１１〜１５）を順次読み取り、原稿データを生成する。そして、グループ識別子Ｇ１が描画された原稿１１の原稿データ〜グループ識別子Ｇ２が描画された原稿１３の直前の原稿１２の原稿データをグループ化した電子ファイルを生成する（符号Ｆ１参照）。また、グループ識別子Ｇ２が描画された原稿１３の原稿データ〜最後の原稿１５の原稿データをグループ化した電子ファイルを生成する（符号Ｆ２参照）。【選択図】図１
2009260409.tif 000002
【特許請求の範囲】
【請求項１】
複数の原稿を順次読み取って、読み取った原稿に対応する電子的な原稿データを生成し、当該生成した原稿データをグループ化した電子ファイルを生成する原稿読取装置において、
原稿データをグループ化するためのデリミタとして参照されるグループ識別子が所定の領域内に描画された原稿に対応する原稿データから前記グループ識別子を抽出する抽出部を備え、
前記抽出部によって抽出されたグループ識別子に基づき、グループ化する複数の原稿データを決定し、当該決定した複数の原稿データをグループ化した電子ファイルを生成することを特徴とする原稿読取装置。
【請求項２】
前記グループ識別子は、所定の温度まで加熱することで色が消える消色インクを用いて描画されたものであることを特徴とする請求項１に記載の原稿読取装置。
【請求項３】
原稿搬送路に設けられた、読み取られた原稿を排紙トレイへ排紙する排紙ローラ近傍に、前記消色インクを消色するためのヒータを設け、
前記グループ識別子が描画された原稿を読み取った後に、前記ヒータは、前記原稿を所定の温度まで加熱することで前記グループ識別子を消色することを特徴とする請求項２に記載の原稿読取装置。
【請求項４】
グループ識別子が描画された原稿に対応する原稿データから次のグループ識別子が描画された原稿の直前の原稿に対応する原稿データまでをグループ化した電子ファイルを生成することを特徴とする請求項１〜３のいずれかに記載の原稿読取装置。
【請求項５】
前記次のグループ識別子が描画された原稿がない場合には、グループ識別子が描画された原稿に対応する原稿データから最後の原稿に対応する原稿データまでをグループ化した電子ファイルを生成することを特徴とする請求項４に記載の原稿読取装置。
【請求項６】
最初に読み取られる原稿にグループ識別子が描画されていない場合には、最初に読み取られる原稿に対応する原稿データからグループ識別子が描画された原稿の直前の原稿に対応する原稿データまでをグループ化した電子ファイルを生成することを特徴とする請求項１〜３のいずれかに記載の原稿読取装置。
【請求項７】
前記生成された電子ファイルを所定のファイル形式で記録することを特徴とする請求項１〜６のいずれかに記載の原稿読取装置。
【請求項８】
前記抽出部によって抽出されたグループ識別子の形状に基づいて、前記生成された電子ファイルを記録するファイル形式を決定することを特徴とする請求項７に記載の原稿読取装置。
【発明の詳細な説明】
【技術分野】
【０００１】
本発明は、原稿を読み取って電子的な原稿データを生成する原稿読取装置に係わり、特に、読み取った複数の原稿に対応する原稿データを自動的にグループ化し電子ファイルとして記録する原稿読取装置に関する。
【背景技術】
【０００２】
原稿を読み取って電子的な原稿データを生成する原稿読取装置において、読み取った複数の原稿に対応する原稿データを自動的にグループ化し電子ファイルとして記録する原稿読取装置が、特許文献１に開示されている。
前記装置を利用するユーザは、前記装置に読み取らせる複数の原稿の途中に、原稿をグループ化して電子ファイルとして記録するためのデリミタ用紙（区切り用紙）として、バーコードが印刷されたシートを挿入する。
そして、前記原稿及びシートを読み取った装置は、前記挿入されたシート間にある複数の原稿に対応する原稿データをグループ化し電子ファイルとして記録する。
【特許文献１】特開２００１−２９１０８６号公報
【発明の開示】
【発明が解決しようとする課題】
【０００３】
しかし、特許文献１に開示の装置では、ユーザは、上記のバーコードが印刷されたシートを別途準備する必要があり、かかる準備作業は煩雑で、ユーザの利便性が損なわれてしまう。
本発明は、かかる実情に鑑みてなされたものであり、読み取った複数の原稿に対応する原稿データを自動的にグループ化し、電子ファイルとして記録する原稿読取装置において、原稿データをグループ化するための準備作業を簡略化できる原稿読取装置を提供することを目的とする。
【課題を解決するための手段】
【０００４】
第１の技術手段は、複数の原稿を順次読み取って、読み取った原稿に対応する電子的な原稿データを生成し、当該生成した原稿データをグループ化した電子ファイルを生成する原稿読取装置において、原稿データをグループ化するためのデリミタとして参照されるグループ識別子が所定の領域内に描画された原稿に対応する原稿データから前記グループ識別子を抽出する抽出部を備え、前記抽出部によって抽出されたグループ識別子に基づき、グループ化する複数の原稿データを決定し、当該決定した複数の原稿データをグループ化した電子ファイルを生成することを特徴とする原稿読取装置である。
【０００５】
第２の技術手段は、第１の技術手段において、前記グループ識別子は、所定の温度まで加熱することで色が消える消色インクを用いて描画されたものであることを特徴とする。
【０００６】
第３の技術手段は、第２の技術手段において、原稿搬送路に設けられた、読み取られた原稿を排紙トレイへ排紙する排紙ローラ近傍に、前記消色インクを消色するためのヒータを設け、前記グループ識別子が描画された原稿を読み取った後に、前記ヒータは、前記原稿を所定の温度まで加熱することで前記グループ識別子を消色することを特徴とする。
【０００７】
第４の技術手段は、第１〜第３のいずれかの技術手段において、グループ識別子が描画された原稿に対応する原稿データから次のグループ識別子が描画された原稿の直前の原稿に対応する原稿データまでをグループ化した電子ファイルを生成することを特徴とする。
【０００８】
第５の技術手段は、第４の技術手段において、前記次のグループ識別子が描画された原稿がない場合には、グループ識別子が描画された原稿に対応する原稿データから最後の原稿に対応する原稿データまでをグループ化した電子ファイルを生成することを特徴とする。
【０００９】
第６の技術手段は、第１〜第３のいずれかの技術手段において、最初に読み取られる原稿にグループ識別子が描画されていない場合には、最初に読み取られる原稿に対応する原稿データからグループ識別子が描画された原稿の直前の原稿に対応する原稿データまでをグループ化した電子ファイルを生成することを特徴とする。
【００１０】
第７の技術手段は、第１〜第６のいずれかの技術手段において、前記生成された電子ファイルを所定のファイル形式で記録することを特徴とする。
【００１１】
第８の技術手段は、第７の技術手段において、前記抽出部によって抽出されたグループ識別子の形状に基づいて、前記生成された電子ファイルを記録するファイル形式を決定することを特徴とする。
【発明の効果】
【００１２】
本発明により、読み取った複数の原稿に対応する原稿データを自動的にグループ化し、電子ファイルとして記録する原稿読取装置において、原稿データをグループ化するための準備作業を簡略化できるのでユーザの利便性が向上する。
【発明を実施するための最良の形態】
【００１３】
図１は、本発明の概要を説明するための図である。
１１〜１５は、本発明に係わる画像読み取り装置によって読み取られる原稿である。
原稿１１のＧ１、原稿１３のＧ２は、後述するように、原稿データをグループ化するためのデリミタとして参照されるグループ識別子で、前記原稿読取装置のユーザによって、後述の消色インクを用いて描画されたものである。
【００１４】
本発明に係わる画像読み取り装置は、原稿（１１〜１５）を順次読み取り（スキャン）、原稿データを生成する。そして、グループ識別子Ｇ１が描画された原稿１１の原稿データ〜グループ識別子Ｇ２が描画された原稿１３の直前の原稿１２の原稿データをグループ化した電子ファイル（以下、ファイルと記す）を生成する（符号Ｆ１参照）。また、グループ識別子Ｇ２が描画された原稿１３の原稿データ〜最後の原稿１５の原稿データをグループ化したファイルを生成する（符号Ｆ２参照）。
このように、グループ識別子を描画するだけで、複数の原稿データ単位でグループ化したファイルを自動的に生成することができるので、ユーザの利便性が向上する。
【００１５】
また、グループ識別子Ｇ１、Ｇ２は、所定の温度まで加熱することで色が消える消色インクを用いて描画されているので、原稿を読み取った後、読み取った原稿を前記所定の温度まで加熱すれば当該グループ識別子Ｇ１、Ｇ２は消える。なお、前記消色インクに係わる技術は、特開２００４−１８６４２号公報、特開２００６−６３２３８号公報に開示されている。
【００１６】
図２は、本発明に係わる原稿読取装置１の一実施形態を説明するための概略構成図である。
原稿読取装置１は、主走査部１００とＡＤＦ（Auto Document Feeder：自動原稿送り装置）２００とから構成される。
主走査部１００とＡＤＦ２００とはヒンジ（図示せず）によって連結され、ＡＤＦ２００はヒンジの回動によって主走査部１００に対して開閉可能となっている。
【００１７】
主走査部１００は、主として筐体１１０と、透明なガラス板からなるプラテン板１１１と、筐体１１０内に収容され、原稿を読み取って（スキャン）、電子的な原稿データ（スキャンデータ）を生成する第１画像読取ユニット１２０とから構成されている。
主走査部１００は、プラテン板１１１上にユーザにより載置された原稿の読み取りを行う原稿固定方式と、ＡＤＦ２００によって自動的に原稿を搬送しながら原稿を読み取る原稿移動方式の両方式に対応している。
【００１８】
第１画像読取ユニット１２０は、光源１２１及び第１ミラー１２２ａを保持する光源ユニット１３１と、第２ミラー１２２ｂ及び第３ミラー１２２ｃを保持するミラーユニット１３２と、レンズ１３３と、ＣＣＤ１３４とから構成された縮小光学系の画像読取手段である。
【００１９】
原稿固定方式によって原稿を読み取る場合、光源ユニット１３１とミラーユニット１３２は、原稿固定方式に対応したホームポジションにそれぞれ移動する。図２は、これら光源ユニット１３１とミラーユニット１３２とがホームポジションにある状態を示している。
【００２０】
ユーザの原稿読み取り実行ボタンの操作を契機として、光源ユニット１３１が原稿に対して光を照射しながら一定の速度で副走査方向（紙面に対して左右方向）に移動して原稿を走査し、それと同時にミラーユニット１３２が光源ユニット１３１の移動速度の１／２の移動速度で同じく副走査方向に移動する。
【００２１】
光源ユニット１３１から照射され原稿から反射した光は、光源ユニット１３１に設けられた第１ミラー１２２ａで反射した後、ミラーユニット１３２が備える第２ミラー１２２ｂ及び第３ミラー１２２ｃによって１８０°光路変換される。そして第３ミラー１２２ｃで反射された光はレンズ１３３を介してＣＣＤ１３４に結像し、電子的な原稿データに変換される。
【００２２】
一方、ＡＤＦ２００を用いる原稿移動方式によって原稿を読み取る場合、光源ユニット１３１及びミラーユニット１３２は、図２に示される状態のホームポジションに静止したまま、ＡＤＦ２００によってホームポジションの上部を通過するように搬送される原稿を走査する。
【００２３】
そして、原稿の表面で反射した光は、上述の原稿固定方式と同様に、第１ミラー１２２ａによって反射した後、ミラーユニット１３２の第２ミラー１２２ｂ及び第３ミラー１２２ｃによって１８０°光路変換され、レンズ１３３を介してＣＣＤ１３４に結像し、電子的な原稿データに変換される。
【００２４】
ＡＤＦ２００は、主として原稿載置台２０１に載置された原稿を１枚ずつＡＤＦ２００の内部へ呼び込む呼び込みローラ２１１と、呼び込まれた原稿を原稿搬送路Ｆに沿って搬送する複数対の搬送ローラ２１２と、給紙タイミングを調節するレジストローラ２１３と、画像読み取りを終えた原稿を排紙トレイ２０２へ排出する排紙ローラ２１４と、原稿を読み取って原稿データを生成する第２画像読取ユニット２２０から構成されている。第２画像読取ユニット２２０は、略Ｕ字状に弧を描く原稿搬送路Ｆ内に収まるように配設されている。
【００２５】
第２画像読取ユニット２２０は、光源２２１、第１ミラー２２２ａ、第２ミラー２２２ｂ、第３ミラー２２２ｃ、第４ミラー２２２ｄ、レンズ２２３、及び、ＣＣＤ２２４から構成された縮小光学系の画像読取ユニットであり、これらの各要素は１つの集合体をなすようにユニット化されてユニット用筐体２２５に収容されている。第２画像読取ユニット２２０において、光源２２１、レンズ２２３、及びＣＣＤ２２４は、第１画像読取ユニット１２０を構成する各要素と同一のものである。
【００２６】
また、第２画像読取ユニット２２０は、ユーザから両面読み取りの要求がなされた際に、原稿搬送路Ｆを搬送される原稿の裏面側の画像を読み取る。具体的には、第１画像読取ユニット１２０によって原稿の表面側の画像が読み取られた後、当該原稿は原稿搬送路Ｆに沿って排紙トレイ２０２へ向けて搬送される。その後、前記搬送された原稿は反転して逆方向に搬送され、第２画像読取ユニット２２０の光源２２１の下部を通過する。
【００２７】
そのとき、第２画像読取ユニット２２０の光源２２１は、原稿の裏面側へ向けて光を照射する。そして、原稿の裏面から反射された光は、ガラス等の透明部材で形成された読取窓２２６を通過し、第１ミラー２２２ａ〜第４ミラー２２２ｄによって順次光路変換され、レンズ２２３を介してＣＣＤ２２４に結像し、電子的な原稿データに変換される。
【００２８】
なお、ＡＤＦ２００の下面は、主走査部１００のプラテン板１１１上に載置された読み取り原稿を上から押さえる押さえ板２３０となっている。この押さえ板２３０は、光源ユニット１３１の光源１２１に対峙する部分が開放可能な蓋体２３１でもある。
【００２９】
原稿搬送路Ｆに設けられた、読み取られた原稿を排紙トレイ２０２へ排紙する排紙ローラ２１４近傍には、図１で説明した、グループ識別子が描画された原稿を読み取った後に、当該原稿を所定の温度まで加熱し、該原稿に描画されたグループ識別子を消去する第１ヒータ２４１及び第２ヒータ２４２から構成されるヒータユニット２４０が設けられている。
第１ヒータ２４１は、原稿の表（オモテ）面の、前述したグループ識別子を消去し、第２ヒータ２４２は、原稿の裏面の、同グループ識別子を消去する。
なお、前記第１ヒータ２４１及び第２ヒータ２４２は、原稿の搬送路を挟んで互いに対向して設けられていため、熱が分散することなく、原稿を表裏から効率良く加熱することができる。
【００３０】
図３は、本発明に係わる原稿読取装置１を詳細に説明するためのブロック図である。
２１は、ネットワークＩ／Ｆで、ネットワークＮに対するインターフェイス機能を提供し、当該ネットワークＮに接続しているＰＣ、ＭＦＰ（図示しない）等とデータ送受信を実行する。
２２は、原稿読取装置１を操作するための操作パネルで、タッチパネル、テンキー等から構成されている。
２３は、複数の原稿を順次読み取り、読み取った原稿毎に電子的な原稿データを生成するスキャン部で、図２に示した、第１画像読取ユニット１２０、第２画像読取ユニット２２０、ヒータユニット２４０等から構成される。
２４は、各種制御情報などを記憶するメモリで、２５は、スキャン部２３が生成した原稿データや前述したＰＣ、ＭＦＰが送信した電子データを記録するためのＨＤＤである。
２６は、各機能ブロックを制御する制御部である。
【００３１】
３１は、グループ識別子抽出部で、グループ識別子が所定の領域内（例えば原稿上部の余白領域内）に描画された原稿に対応する原稿データから当該グループ識別子を抽出する。
前記グループ識別子は、前述したように、原稿読取装置１のユーザによって消色インクを用いて原稿の所定領域内に描画されたもので、スキャン部２３によって生成された複数の原稿データをグループ化して電子ファイルを作成するためのデリミタとして参照される。
グループ識別子の形状は、“○”（丸）、“△”（三角）、“□”（四角）等様々な形状を有するものとする。
【００３２】
３２は、グループ識別子確認部で、グループ識別子抽出部３１によって抽出されたグループ識別子の形状と、メモリ２４に記録されたグループ識別子の形状とをパターンマッチングによって比較し、抽出されたグループ識別子の正当性を確認する。
例えば、メモリ２４に、グループ識別子の形状に係わる情報として“○”（丸）、“△”（三角）、“□”（四角）が記録されているとする。
このとき、グループ識別子抽出部３１によって抽出されたグループ識別子の形状が“○”（丸）の場合、グループ識別子確認部３２は、抽出されたグループ識別子が正当であると判断し、スキャン部２３によって生成された原稿データのグループ化が実行される。
上記の抽出されたグループ識別子の形状が、メモリ２４に記録されていない形状例えば“☆”（星）の場合、スキャン部２３によって生成された原稿データのグループ化は実行されない。
【００３３】
３３は、グループ化ファイル生成部で、抽出されたグループ識別子の正当性がグループ識別子確認部３２によって確認されると、グループ識別子抽出部３１によって抽出されたグループ識別子に基づき、グループ化する複数の原稿データを決定し、当該決定した複数の原稿データをグループ化した電子ファイルを生成する。
なお、電子ファイルの生成処理については後に詳述する。
【００３４】
３４は、ファイル形式指定部で、グループ化ファイル生成部３３が生成した電子ファイルのファイル形式を指定する。前記指定は、操作パネル２２を介して行われ、また、指定される電子ファイルのファイル形式としては、例えばＰＤＦ、ＴＩＦＦがある。
【００３５】
次に、グループ化した電子ファイル作成処理について図１〜図３を用いて詳細に説明する。
ここでは、ユーザは、図１に示した、原稿１１〜原稿１５の中から原稿１１〜原稿１２、原稿１３〜原稿１５をグループ化した電子ファイルを生成したいと所望していると想定し、当該ユーザが原稿１１及び原稿１３に消色インクを用いてグループ識別子を描画しているものとする。
【００３６】
まず、ユーザが原稿１１〜原稿１５を原稿読取装置１の原稿載置台２０１にセットし、操作パネル２２を介し、グループ化した電子ファイルの作成処理を原稿読取装置１に指示する。
原稿載置台２０１にセットされた原稿１１〜原稿１５はスキャン部２３によって読み取られ、当該原稿１１〜原稿１５に対応する原稿データが生成される。なお、読み取られた原稿は排紙トレイ２０２に排紙されるが、排紙前に第１ヒータ２４１等により当該原稿が加熱されて、グループ識別子が消去される。
【００３７】
前記生成された各原稿データの所定領域内からグループ識別子抽出部３１によってグループ識別子が抽出される。図１の例では、原稿１１及び原稿１３に対応する原稿データからグループ識別子（Ｇ１、Ｇ２）が抽出される。
【００３８】
次に、抽出されたグループ識別子の正当性がグループ識別子確認部３２によって確認される。ここでは、グループ識別子抽出部３１によって抽出されたグループ識別子の形状が“○”（丸）で、メモリ２４に記憶されているグループ識別子の形状が“○”（丸）であるので、正当であると確認される。
【００３９】
そして、グループ化ファイル生成部３３は、グループ識別子Ｇ１が描画された原稿１１に対応する原稿データからグループ識別子Ｇ２が描画された原稿１３の直前の原稿１２に対応する原稿データまでをグループ化すると決定し、当該決定した原稿データをグループ化した電子ファイル（図１の符号Ｆ１参照）を生成し、ＨＤＤ２５に記録する。同じく、グループ識別子Ｇ２が描画された原稿１３から最後の原稿１５に対応する原稿データまでをグループ化した電子ファイル（図１の符号Ｆ２参照）を生成し、ＨＤＤ２５に記録する。このとき、生成された電子ファイルは、ファイル形式指定部３４によって指定されたファイル形式、例えばＰＤＦ形式で記録される。
【００４０】
また、最初に読み取られる原稿１１にグループ識別子が描画されていない場合には、最初に読み取られる原稿１１に対応する原稿データからグループ識別子Ｇ２が描画された原稿１３の直前の原稿１２に対応する原稿データまでをグループ化した電子ファイルが生成される。
【００４１】
つまり、グループ化ファイル生成部３３は、グループ識別子が描画された原稿に対応する原稿データから次のグループ識別子が描画された原稿の直前の原稿に対応する原稿データまでをグループ化した電子ファイルを生成する。
前記次のグループ識別子が描画された原稿がない場合には、グループ識別子が描画された原稿に対応する原稿データから最後の原稿に対応する原稿データまでをグループ化した電子ファイルを生成する。
また、最初に読み取られる原稿にグループ識別子が描画されていない場合には、最初に読み取られる原稿からグループ識別子が描画された原稿の直前の原稿に対応する原稿データまでをグループ化した電子ファイルが生成される。
【００４２】
そして、生成された電子ファイルを、ファイル形式指定部３４によって指定されたファイル形式、つまり所定のファイル形式で、ＨＤＤ２５に記録する。
【００４３】
電子ファイル内のグループ識別子（図１の符号Ｆ１の“○”（丸）参照）は、当該識別子に画像処理を施すことで消去できる。前記画像処理の一例として、背景色と同色で前記グループ識別子を塗りつぶす処理がある。
【００４４】
上記のグループ化した電子ファイルの作成処理を図４のフロー図を用いて説明する。
まず、ユーザが複数の原稿を原稿読取装置１の原稿載置台２０１にセットし、操作パネル２２を介し、グループ化した電子ファイルの作成処理を原稿読取装置１に指示する（ステップＳ１）。なお、既に、セットした原稿の何れかに、ユーザがグループ識別子を消色インクで描画しているものとする。
【００４５】
スキャン部２３がセットした原稿の読み取り処理を実行し、原稿データを生成する（ステップＳ２）。同時に、制御部２６は、ヒータユニット２４０（スキャン部２３）の第１ヒータ２４１をオンにして（ステップＳ３）、原稿に描画された消色インクを消去する。なお、両面読み取りモードの場合には、第２ヒータ２４２もオンにする。
【００４６】
次に、グループ識別子抽出部３１は、スキャン部２３が生成した原稿データの所定領域からグループ識別子を抽出し（ステップＳ４）、抽出されたグループ識別子の正当性をグループ識別子確認部３２が確認する（ステップＳ５）。
【００４７】
抽出されたグループ識別子の正当性が確認できた場合（ステップＳ６／ＹＥＳ）、グループ化ファイル生成部３３は、グループ化する複数の原稿データを決定し、当該決定した複数の原稿データをグループ化した電子ファイルを生成する（ステップＳ７）。
【００４８】
次に、ファイル形式指定部３４によって指定されたファイル形式で、前記電子ファイルをＨＤＤ２５に記録する（ステップＳ８）。
なお、ステップＳ６で正当性が確認できない場合（ステップＳ６／ＮＯ）、処理を終了する。
【００４９】
（その他）
前述の例では、グループ識別子の形状に基づき、当該識別子の正当性を判断したが色によって判断してもよい。
【００５０】
グループ識別子抽出部３１によって抽出されたグループ識別子の形状に基づいて、生成された電子ファイルを記録するファイル形式を決定してもよい。例えば、前記形状が、“○”（丸）の場合は、ＰＤＦ形式で記録する、“△”（三角）の場合は、ＴＩＦＦ形式で記録する。なお、最初のグループ識別子（図１のＧ１参照）の形状が“○”（丸）、次のグループ識別子（図１のＧ２参照）の形状が“△”（三角）の場合は、グループ識別子Ｇ１が描画された原稿に対応する原稿データからグループ識別子Ｇ２が描画された原稿の直前の原稿に対応する原稿データまでをグループ化した電子ファイル（図１の符号Ｆ１参照）をＰＤＦ形式で記録し、グループ識別子Ｇ２が描画された原稿から最後の原稿に対応する原稿データまでをグループ化した電子ファイル（図１の符号Ｆ２参照）をＴＩＦＦ形式で記録してもよい。
このようにすることで、ユーザの利便性がより向上する。
【００５１】
記録するファイルの名称は、ユーザが入力してもよいし、日付及びファイルの連番に基づき自動的に決定してもよい。
記録したファイルは、ネットワークＩ／Ｆ２１を介して、ＰＣ等に送信してもよい。
【図面の簡単な説明】
【００５２】
【図１】本発明の概要を説明するための図である。
【図２】本発明に係わる原稿読取装置の概略構成図である。
【図３】本発明に係わる原稿読取装置を詳細に説明するためのブロック図である。
【図４】グループ化した電子ファイルの作成処理を説明するためのフロー図である。
【符号の説明】
【００５３】
１…原稿読取装置、１１〜１５…原稿、２１…ネットワークＩ／Ｆ、２２…操作パネル、２３…スキャン部、２４…メモリ、２５…ＨＤＤ、２６…制御部、３１…グループ識別子抽出部、３２…グループ識別子確認部、３３…グループ化ファイル生成部、３４…ファイル形式指定部、１００…主走査部、１１０…筐体、１１１…プラテン板、１２０…画像読取ユニット、１２１…光源、１２２ａ〜１２２ｃ…第１ミラー〜第３ミラー、１３１…光源ユニット、１３２…ミラーユニット、１３３…レンズ、１３４…ＣＣＤ、２００…ＡＤＦ、２０１…原稿載置台、２０２…排紙トレイ、２１１…呼び込みローラ、２１２…搬送ローラ、２１３…レジストローラ、２１４…排紙ローラ、２２０…第２画像読取ユニット、２２１…光源、２２２ａ〜２２２ｄ…第１ミラー〜第４ミラー、２２３…レンズ、２２４…ＣＣＤ、２２５…ユニット用筐体、２２６…読取窓、２３０…押さえ板、２３１…蓋体、２４０…ヒータユニット、２４１…第１ヒータ、２４２…第２ヒータ、Ｇ１，Ｇ２…グループ識別子、Ｆ１，Ｆ２…電子ファイル。
【図１】
2009260409.tif 000003
【図２】
2009260409.tif 000004
【図３】
2009260409.tif 000005
【図４】
2009260409.tif 000006